(57)【要約】【課題】  電気泳動表示装置の表示画像の保持動作時に、残留ＤＣの影響による保持特性の劣化を防止する。【解決手段】  液体と複数の帯電泳動粒子とを含む分散液と、電圧を印加して該分散液中に電場を形成するための少なくとも第１電極と、第２電極からなる電極群を備えた電気泳動表示装置の駆動方法であって、表示画像の書き込み／保持動作時に、該第１電極と該第２電極間の電位差の絶対値を一定期間内に徐々に減衰させる。【選択図】      図１
2004287425.tif 000002
【特許請求の範囲】
【請求項１】
少なくとも第１電極と、第２電極からなる電極群を備え、表示メモリ性を有する表示装置の駆動方法であって、
該第１電極と該第２電極間に表示画像の書き込みを行う電圧を印加した後、表示画像の保持期間内の一定期間に、該第１電極と該第２電極間の電位差の絶対値を徐々に減衰させることを特徴とする表示装置の駆動方法。
【請求項２】
前記表示装置をアクティブマトリックス駆動させる際に、所望の設定条件に従って、前記第１電極と前記第２電極間の電位差の絶対値を徐々に減衰させることを特徴とする請求項１に記載の表示装置の駆動方法。
【請求項３】
前記表示装置をアクティブマトリックス駆動させる際に、複数フレームにわたって、前記第１電極と前記第２電極間の電位差の絶対値をアクティブに減衰させることを特徴とする請求項１に記載の表示装置の駆動方法。
【請求項４】
前記表示装置の各画素に接続されるスイッチング素子として薄膜トランジスタ（Ｔｈｉｎ  Ｆｉｌｍ  Ｔｒａｎｓｉｓｔｏｒ：以下、ＴＦＴ）を用いて、前記表示装置をアクティブマトリックス駆動させる際に、各フレーム毎に、該ＴＦＴの信号電圧の設定値を徐々に小さくすることによって、前記第１電極と前記第２電極間の電位差の絶対値をアクティブに減衰させることを特徴とする請求項３に記載の表示装置の駆動方法。
【請求項５】
前記表示装置の各画素に接続されるスイッチング素子としてＴＦＴを用いて、該ＴＦＴのゲート電極の電位を調整することで、所望の時定数を設定し、該所望の時定数に従って、前記第１電極と前記第２電極間の電位差の絶対値を徐々に減衰させることを特徴とする請求項２に記載の表示装置の駆動方法。
【請求項６】
前記表示装置をアクティブマトリックス駆動させる際に、所望の２段階以上の減衰条件に従って、前記第１電極と前記第２電極間の電位差の絶対値を徐々に減衰させることを特徴とする請求項１に記載の表示装置の駆動方法。
【請求項７】
請求項１ないし６のいずれか１項に記載の駆動方法であって、液体と複数の帯電泳動粒子とを含む分散液と、電圧を印加して該分散液中に電場を形成するための少なくとも第１電極と、第２電極からなる電極群を備えた電気泳動表示装置の駆動方法。
【発明の詳細な説明】
【技術分野】
【０００１】
本発明は、表示メモリ性を有する表示装置の駆動方法に関する。
【背景技術】
【０００２】
情報機器の発達に伴い、低消費電力かつ薄型の表示装置のニーズが増しており、これらニーズに合わせた表示装置の研究、開発が盛んに行なわれている。特にウエアラブルＰＣや電子手帳等は、それらの用途から屋外で使用されることが多く、省消費電力かつ省スペースであることが望まれるため、例えば液晶ディスプレイ等の薄型ディスプレイによる表示機能と座標入力処理を一体化し、ディスプレイに表示された内容をペンあるいは指で押圧操作することにより直接的に入力できる物が製品化されている。
【０００３】
しかし、多くの液晶はいわゆる表示メモリ性がない為、表示期間中は液晶に対し電圧印加を行ない続ける必要がある。一方で、表示メモリ性を有する液晶においては、ウエアラブルＰＣのようにさまざまな環境における使用を想定した場合の、信頼性を確保することが難しく実用化には至っていない。
【０００４】
表示メモリ性を有する、薄型軽量ディスプレイ方式の一つとして、特許文献１にＨａｒｏｌｄ  Ｄ．Ｌｅｅｓ等により電気泳動表示装置が提案されている。この種の電気泳動表示装置は、分散媒中に電気泳動粒子を分散させた分散液に電場を印加したときに、電気泳動粒子がクーロン力により移動する電気泳動現象を利用している。該電気泳動表示装置の１つとして、少なくとも一方の電極が透明である２つの電極を所定の間隔で対向させ、該電極間に着色した絶縁性液体と複数の帯電泳動粒子からなる分散液を封入した構成のものがある。該電極間に電圧を加えると、電場の方向によって帯電泳動粒子がどちらか一方の電極に引き付けられることになり、観測者には、該絶縁性液体の色、または該帯電泳動粒子の色が見えることになる。
【０００５】
このような電気泳動表示装置において、電極に引き付けられた帯電泳動粒子は、該分散液内の電場を一様にゼロにすると、その空間的な分布状態を保ち、この帯電泳動粒子の空間分布状態によって表示される表示画像を保持することができる。すなわち、この表示素子は表示メモリ性を有する。よって表示書き換え時のみ電源を必要とし、低消費電力に有効とされている。
【０００６】
表示メモリ性を活用したアクティブマトリックス方式の電気泳動表示装置が、特許文献２および特許文献３に提案されている。
【０００７】
この提案によれば，リセット動作期間にあっては、各画素電極にリセット電圧を書き込む。次に、書き込み期間にあっては、一定電圧を画像データの指示する階調値に応じた期間だけ、あるいは、一定期間に画像データの指示する階調値に応じた電圧だけ、各画素電極に印加する。この後、表示状態が実質的に所望の階調レベルとなったのちの表示画像の保持動作期間においては、前記電気泳動粒子が受ける電場をゼロにし前記電気泳動粒子の空間的な分布状態を固定するために、前記画素電極と前記共通電極の電極間の電位差をゼロにする。
【０００８】
【特許文献１】米国特許３６１２７５８明細書
【特許文献２】米国特許公開ＡＡ２００２０２１４８３公報
【特許文献３】米国特許公開ＡＡ２００２００５８３２公報
【発明の開示】
【発明が解決しようとする課題】
【０００９】
しかしながら、本発明者らが研究した結果によれば，従来の電気泳導装置の駆動においては，保持動作として、画素電極と共通電極間の電位差を急激にゼロにすると、液体層に、書き込み電圧とは逆極性の反電場が発生し、帯電泳動粒子の閾値特性が不十分な場合には、この反電場によって、帯電泳動粒子が移動し所望の表示状態を保持できないため、表示メモリ性を阻害してしまうという問題がある。
【００１０】
この原因の１つとして残留ＤＣが考えられている。以下、残留ＤＣについて詳しく説明する。電気泳動表示装置の駆動方法は、図３のタイミングチャートにその一例を示すように、ある時間長を持ったフィールドを各々利用して、画像表示の制御のためのリセット動作、書き込み動作および保持動作を行なう。図２（ａ）の横軸は時間軸、縦軸は電圧軸であり、実線は電気泳動表示装置のある画素に対して外部から印加する電圧の一例であり、破線はその際、分散液に実際にかかる実効電圧である。また、図２（ｂ）はそのときの光学応答である。図２において、（Ａ）はリセット動作期間、（Ｂ）は書き込み期間、（Ｃ）は保持動作期間を示している。前記電気泳動表示装置においては、素子内に電気的な時定数の異なる領域が存在し、該領域間の界面に電荷が蓄積するため、ＤＣ成分が発生する。一般に、このＤＣ成分を残留ＤＣと呼ぶ。残留ＤＣが蓄積すると、例えば図２の（Ｃ）の保持動作期間において、実線で示すように画素電極への印加電圧を０Ｖにしても、分散液には破線で示すように印加電圧とは逆極性の反電場が発生する場合があり、一部の帯電泳動粒子は反電場の作用を受け書き戻されてしまうため、十分に画像の保持が行なわれない。
【課題を解決するための手段】
【００１１】
本発明は、上記問題を解決するためになされたものであり、少なくとも第１電極と、第２電極からなる電極群を備え、表示メモリ性を有する表示装置の駆動方法であって、該第１電極と該第２電極間に表示画像の書き込みを行う電圧を印加した後、表示画像の保持期間内の一定期間に、該第１電極と該第２電極間の電位差の絶対値を徐々に減衰させることを特徴とする表示装置の駆動方法を提供する。
【００１２】
表示画像の書き込み／保持動作時に、前記画素電極と前記共通電極間の電位差の絶対値を急激にゼロにするのではなく一定期間内に徐々に減衰させていく動作を行なうことで、残留ＤＣを低減し反電場の発生を極力抑制し、この問題を解消する。
【発明の効果】
【００１３】
本発明において開示された駆動方法を用いることによって、電気泳動表示装置の表示画像の保持動作時において、残留ＤＣの影響による保持の劣化を防止することができる。
【発明を実施するための最良の形態】
【００１４】
以下、本発明の実施の形態について、表示メモリ性を有する表示装置の一つである電気泳動表示装置への適用を例にとり、図面を参照して説明する。本発明は電気泳動表示装置への適用に限定されるものではなく、他の表示メモリ性をもつ表示装置、例えばトナーディスプレイ（信学技報ＥＩＤ９９−１５４、Ｐ７（２０００）、千葉大）、Ｇｙｒｉｃｏｎ（ＳＩＤ‘７７  Ｄｉｇｅｓｔ、ｐ１１４、ゼロックス）などにも適用できる。なお請求項記載の第１電極を画素電極、請求項記載の第２電極を共通電極として説明を進める。
【００１５】
図１（ａ）の横軸は時間軸、縦軸は電圧軸であり、実線は電気泳動表示装置のある画素に対して外部から印加する電圧の一例であり、破線はその際、分散液に実際にかかる実効電圧である。また、図１（ｂ）はそのときの光学応答である。図１において、（Ａ）はリセット動作期間、（Ｂ）は書き込み期間、（Ｃ）は保持動作期間を示している。リセット動作期間（Ａ）の前の期間は前回に行なった表示状態を示していると考えてよい。時刻ｔ１に至ったのちのリセット期間（Ａ）において、リセット電圧Ｖｒを印加して、前回に行った表示をリセットする。そして時刻ｔ２に至ったのちの書き込み期間（Ｂ）において、書き込み電圧Ｖｗを印加することによって素子を駆動して所望の階調レベルの表示を行なう。階調レベルの制御は、書き込み電圧Ｖｗのパルス幅変調あるいは振幅変調によって行なう。パルス幅変調を行なう場合は書き込み電圧Ｖｗの印加時間によって、また電圧振幅変調を行なう場合は書き込み電圧Ｖｗの大きさによって、階調レベルを制御することができる。次に、時刻ｔ３に至ったのちの保持動作期間（Ｃ）においては、粒子に作用する電場をゼロにするために、第１電極あるいは第２電極の電位を制御することによって保持を行なうが、この際に、残留ＤＣが反電場として作用することを避けるべく、第１電極と第２電極の電極間の電位差を急激にゼロにするではなく、該第１電極と該第２電極間の電位差の絶対値を一定期間内に徐々に減衰させることにより、反電場の発生を極力抑制し、保持特性の改良を行なう。この保持動作によって、図１（ｂ）の保持動作期間（Ｃ）及び、その期間以降では、光学応答は一定に保持される。
【００１６】
本発明における、反電場を抑制するための該第１電極と該第２電極間の電位差の絶対値を一定期間内に徐々に減衰させる方法について、図４を参照しながら、その一例を説明する。図４において、横軸は時間軸、縦軸は該第１電極と該第２電極間の電位差の絶対値を示している。減衰方法は、反電場を抑制するように設定すればよいが、例えば、対数関数的減衰方法（図４（ａ））、指数関数的減衰方法（図４（ｂ））、直線的減衰方法（図４（ｃ））などが挙げられる。
【００１７】
以下、電気泳動表示装置の各画素に接続されるスイッチング素子としてＴＦＴを用いたアクティブマトリックス方式を一例として、本発明の駆動方法を説明するが、保持動作時に該第１電極と該第２電極間の電位差の絶対値を一定期間内に徐々に減衰させる本発明の駆動方法は、ＴＦＴを用いたアクティブマトリックス方式に限定されるものではなく、ＴＦＤなど他のスイッチング素子を用いたアクティブマトリックス方式、またセグメント方式、単純マトリックス方式にも適用できる。
【００１８】
なお、本発明の駆動方法は、上下移動型電気泳動表示装置に対しても、水平移動型電気泳動表示装置に対しても適用できる。
【００１９】
また、本発明において、前記帯電泳動粒子と分散媒を多数のマイクロカプセルのそれぞれに内包させるようにしてもよい。
【００２０】
また、本発明は、表示状態が実質的に所望の階調レベルに達し、全画素への書き込み動作が終了したのちに、表示画像の保持動作を行なう場合に限られるものではなく、書き込み動作が終了する前に保持動作に入る場合、すなわち減衰波形印加中に所望の書き込み動作を終了する場合においても有効である。
【実施例】
【００２１】
以下に実施例に従って本発明の駆動方法について図面を参照しながら更に詳しく説明する。
【００２２】
（実施例１）
電気泳動表示装置は、ｍ行ｎ列のマトリクス状に画素とスイッチング素子が配列された電気泳動表示パネルと，ｍ行の走査線とｎ列のデータ線に電圧を印加して，スイッチング素子を介して画素を駆動する周辺機器を備えている。本実施例においては，ｍ＝１０，ｎ＝２０の表示装置について説明する。各画素は，２００μｍ平方のサイズである。
【００２３】
図５は本発明に係る電気泳動表示装置の構成の一例を示すブロック図である。グラフィックコントローラ１、グラフィックメモリ２、パネルコントローラ３、中央演算処理装置（ＣＰＵ）４、電源ユニット５、電源制御部６、データ線駆動回路７、走査線駆動回路８、電気泳動表示パネル９から構成される。
【００２４】
グラフィックコントローラ１はグラフィックメモリ２の画像データを情報転送クロックに従ってパネルコントローラ３に入力する。
【００２５】
また、パネルコントローラ３は、グラフィックコントローラ１から入力された画像データに基づいて、フィールド同期信号、水平同期信号、データ取り込みクロックなどの制御信号、および表示データを生成し、データ線駆動回路７、走査線駆動回路８に転送する。
【００２６】
データ線駆動回路７、走査線駆動回路８は、パネルコントローラ３より受信した制御信号、表示データに従って、電気泳動表示パネル９に駆動電圧を出力して表示を行なう。
【００２７】
また、電源ユニット５は、各ブロックへの電源供給を行なう部分であり、電源制御部６によって電源供給の実行・停止を制御される。この電源制御部６は、電気泳動表示装置の電源スイッチのオン／オフに応じて入力される電源スイッチ状態信号に基づいて動作する。
【００２８】
電気泳動表示パネル９の一画素の模式図を図６に示す。電気泳動表示素子１５の第１電極がアクティブマトリックス駆動表示用の薄膜トランジスタ１３（Ｔｈｉｎ  Ｆｉｌｍ  Ｔｒａｎｓｉｓｔｏｒ：以下、ＴＦＴ１３と称する）のドレイン電極に接続され、電気泳動表示素子１５の第２電極が電圧Ｖｃｏｍである共通電極に接続されている。全画素の第２電極が共通電極に接続される。また、補助容量１４も共通電極に接続されている。データ線１１はＴＦＴ１３のソース電極、走査線１２はＴＦＴ１３のゲート電極に接続される。
【００２９】
リセット動作について、図７を用いて詳しく説明する。ｍ行の走査線とｎ列のデータ線を有するＴＦＴを用いて、該ＴＦＴにそれぞれ接続されるｍ行ｎ列の電気泳動表示素子の画素電極の電位を制御する場合を考える。ここでｉ行ｊ列の画素をＰｉｊとする。まず、全行の走査線に対してＴＦＴのＯＦＦ電圧に相当するゲート電圧を印加した状態で、全列のデータ線にリセット電圧Ｖｒを印加したのち、全行の走査線に対してＴＦＴのＯＮ電圧に相当するゲート電圧を印加する。分散液中の帯電泳動粒子の空間的な分布状態が実質的に十分なレベルまで初期化されたのち、全行の走査線に対してＴＦＴのＯＦＦ電圧に相当するゲート電圧を印加する。上記のようにして、リセット動作を完了する。
【００３０】
次に、書き込み動作について、図７と図８と図９を用いて詳しく説明する。なお、これらの図は模式図であり、書き込み期間、書き込み走査期間、書き込み動作期間、保持動作期間の長さの関係は、実際の駆動時における大小関係を必ずしも正しく反映しているわけではない。ｍ行の走査線とｎ列のデータ線を有するＴＦＴを用いて、該ＴＦＴにそれぞれ接続されるｍ行ｎ列の電気泳動表示素子の画素電極の電位を制御する場合を考える。上記のとおり，本実施例においては，ｍ＝１０，ｎ＝２０である。
【００３１】
図８と図９においては、横軸が時間軸であり、縦軸が電圧軸である。図８は、ｉ行目のゲート電圧Ｙｉとｊ列目の信号電圧Ｖｊを示し、図９は、それらの電圧をｉ行ｊ列の画素Ｐｉｊに印加したときの画素電極の電位Ｖｉｊを示している。まず、１行目の走査線のみにＴＦＴのＯＮ電圧に相当するゲート電圧Ｙ１を印加し、その他の走査線に対してＴＦＴのＯＦＦ電圧に相当するゲート電圧を印加した状態で、１行目の各画素に対する所望の階調レベルに相当する信号電圧Ｖ１１〜Ｖ１ｎを各データ線に印加する。
【００３２】
ゲート線に印加する電圧は、ＯＦＦ（すなわち非選択）時−５Ｖ、ＯＮ（すなわち選択）時４０Ｖである。パルスの波高値は４５Ｖとなる。また選択パルスの印加時間は２０μｓである。データ線に印加する信号電圧は、画像に応じて０Ｖ−２０Ｖの間で変化させる。
【００３３】
次に、全行の走査線に対してＴＦＴのＯＦＦ電圧に相当するゲート電圧を印加した状態で、２行目の各画素に対する所望の階調レベルに相当する信号電圧Ｖ２１〜Ｖ２ｎを各データ線に印加したのち、２行目の走査線のみにＴＦＴのＯＮ電圧に相当するゲート電圧Ｙ２を印加する。
【００３４】
以下、ｍ行までの走査が終了するまで同様に繰り返す。各走査線選択時間が２０μｓ、走査線本数はｍ＝１０なので、書込み走査の期間は２００μｓとなる。
【００３５】
書込み走査が終了したのち、泳動粒子が平衡位置に達するまでに時間がかかる場合は、その時間分だけ書込みを行なわない。図８の書込み走査期間の直後の書込み動作期間はその期間を表している。本実施例の電気泳動装置においてはこの期間は５００ｍｓである。
【００３６】
次に、保持動作について、図７と図８と図９を用いて詳しく説明する。書き込み動作期間に表示状態が実質的に所望の階調レベルに達し、全画素への書き込みが終了したのちの表示画像の保持動作時には、図８と図９に示すように、複数のフレームを用いて第１電極と第２電極間の電位差の絶対値を徐々に減衰させる。本実施例ではＮ＝１０回のフレームを用いて第１電極と第２電極間の電位差の絶対値の減衰を行なう。以下、ｉ行ｊ列の画素をＰｉｊとする。
【００３７】
図８において、書き込み期間終了時、すなわち書込み走査期間とその後の書込み動作期間とが終了した時点では、表示状態が実質的に所望の階調レベルに達している。その後、次の書込みが行なわれるまでの期間、すなわち保持動作が行なわれる期間は、メモリ性があるので画像が維持されている。本実施例では、全画素への書き込み動作が終了したのちの表示画像に、複数フレームにわたって、画素電極の電位を徐々に減衰させる減衰電圧印加期間を設ける。
【００３８】
各フレームの印加パルスと期間は書込み走査期間と同様であるが、データ線に印加する信号電圧は、書込み走査期間における電圧よりも小さくし、かつフレームを追うごとに徐々にその値を小さくしていく。
【００３９】
以下、より具体的に説明する。
【００４０】
まず１番目のフレームにおける動作を説明する。１行目の走査線にＴＦＴのＯＮ電圧に相当するゲート電圧を印加し、その他の走査線に対してＴＦＴのＯＦＦ電圧に相当するゲート電圧を印加すると同時に、書込み走査期間において１行目の各画素に印加されたそれぞれの階調に応じた信号電圧値の９０％の電圧を各データ線にそれぞれ印加する。以下同様に、ｍ行までの走査線に順次ＯＮ電圧を与えて選択しながら、書込み走査期間中に各画素に印加された電圧値の９０％の電圧を、それぞれのデータ線から各画素に印加する。以上によって１番目のフレームにおける動作を終了する。
【００４１】
２番目のフレームにおいては、書込み走査期間中の信号電圧値の８０％に相当する電圧を各画素に印加する。
【００４２】
以下、同様にフレーム動作を繰り返す。９フレーム目には、書込み走査期間中の信号電圧値の１０％に相当する電圧が各画素に印加される。最後の１０フレーム目には０Ｖが各画素に印加される。
【００４３】
以上のように、Ｎ−１番目のフレームにまでに十分に減衰が完了するように電圧減衰の割合を決めて、Ｎ番目のフレームにおいて全画素の電極電位をゼロにする。減衰電圧印加の動作を行なうことで、残留ＤＣを低減し、次の書込み走査において残留ＤＣ電圧の影響を受けることがない。すなわち前の表示の影響を受けることなく、所望の表示状態が書き込まれる。
【００４４】
以上説明した方法は減衰をアクティブに行う方法である。すなわち、アクティブマトリクス駆動の各フレームごとに電圧を印加し、印加電圧を徐々に減衰させるので、フレームごとの電圧を適当に設定することにより、任意の減衰のさせ方ができる。
【００４５】
以上に示した方法により、電気泳動表示装置の表示画像の保持動作時において、残留ＤＣの影響を低減することができ、表示特性の改善がみられた。
【００４６】
（実施例２）
実施例１におけるリセット動作と書き込み動作を終了したのち、保持動作を以下のように行なう本実施例も考えられる。
【００４７】
その保持動作について、図７と図１０と図１１を用いて詳しく説明する。なお、これらの図は模式図であり、書き込み期間、書き込み走査期間、書き込み動作期間、保持動作期間の長さの関係は、実際の駆動時における大小関係を必ずしも正しく反映しているわけではない。ｍ行の走査線とｎ列のデータ線を有するＴＦＴを用いて、該ＴＦＴにそれぞれ接続されるｍ行ｎ列の電気泳動表示素子の画素電極の電位を制御する場合を考える。ここでｉ行ｊ列の画素をＰｉｊとする。
【００４８】
図１０はゲート電圧と信号電圧を示す図であり、横軸は時間軸を示し、縦軸は電圧軸を示している。ｉ行目のゲート電圧をＹｉ、画素Ｐｉｊへ入力する信号電圧をＶｉｊとする。また、図１１は、書き込み時および保持動作時に図１０に示すように各画素に対してゲート電圧と信号電圧を印加したときの各画素電極の電位を示す。
【００４９】
書き込み期間における動作は、実施例１と同じである。書き込み期間終了時点では表示状態が実質的に所望の階調レベルに達している。
【００５０】
本実施例においては、保持動作期間内のある一定の期間、スイッチング素子に電流リークを起こさせ、それによって画素電極の電位を徐々に減衰させる。
【００５１】
具体的には、全行の走査線に対してＴＦＴのゲート電極にＯＦＦ電圧より大きくＯＮ電圧より小さい、ある一定の電圧Ｖｈを印加することによって、ＴＦＴのドレイン−ソース間にリーク電流を流す。これにより、ＴＦＴのＯＦＦ時の時定数に従うよりも早く、またＯＮ時の時定数に従うよりも遅く、第１電極と第２電極間の電位差の絶対値の減衰が行なわれる。
【００５２】
各トランジスタのゲート電極にはＯＮ電圧以下の、しかし半ばトランジスタがＯＮに近い動作をするような電圧を与えて、わずかな電流を流し、画素に蓄えられた電荷を逃がす。本実施例においては、トランジスタのゲートＯＮ電圧は４０Ｖ，オフ電圧は−５Ｖ、Ｖｈは３８Ｖである。
【００５３】
以上に示した方法により、実施例１と同様に、電気泳動表示装置の表示画像の保持動作時において、残留ＤＣの影響を低減することができ、保持特性が改善される。
【００５４】
（実施例３）
実施例２の保持動作において、より早く保持動作期間を完了したい場合、例えば低消費電力化が要請され、保持動作期間内の電源からの給電時間を短くしたい場合などには、所望の２段階以上の減衰条件を設定し、それに従い第１電極と第２電極間の電位差の絶対値の減衰を行なう。図７と図１２と図１３を用いて説明する。なお、これらの図は模式図であり、書き込み期間、書き込み走査期間、書き込み動作期間、保持動作期間の長さの関係は、実際の駆動時における大小関係を必ずしも正しく反映しているわけではない。ｍ行の走査線とｎ列のデータ線を有するＴＦＴを用いて、該ＴＦＴにそれぞれ接続されるｍ行ｎ列の電気泳動表示素子の画素電極の電位を制御する場合を考える。ここでｉ行ｊ列の画素をＰｉｊとする。図１２はゲート電圧と信号電圧を示す図であり、横軸は時間軸を示し、縦軸は電圧軸を示している。ｉ行目のゲート電圧をＹｉ、画素Ｐｉｊへ入力する信号電圧をＶｉｊとする。また、図１３は、書き込み時および保持動作時に図１２に示すように各画素に対してゲート電圧と信号電圧を印加したときの各画素電極の電位を示す。表示状態が実質的に所望の階調レベルに達し、全画素への書き込み動作が終了したのちの表示画像の保持動作時に、保持動作期間内のある一定の期間を２つ以上の期間に分けて、画素電極の電位を徐々に減衰させる。図１２は保持動作期間内のある一定の期間を２つの期間に分けて減衰を行なう一例であり、これを用いてより具体的に説明するが、保持動作期間を２つ以上の期間に分けてもよいことは言うまでもない。全行の走査線に対してＴＦＴのＯＦＦ電圧に相当するゲート電圧を印加した状態から、図１２に示すように、まず最初の期間では、ＴＦＴのゲート電極にＯＦＦ電圧より大きくＯＮ電圧より小さい、ある一定の電圧Ｖｈ１を印加し、次の期間ではＴＦＴのゲート電極にＯＦＦ電圧より大きくＯＮ電圧より小さい、ある一定の電圧Ｖｈ２を印加することによって、図１３に示すように、ＴＦＴのＯＦＦ時の時定数に従うよりも早く、またＯＮ時の時定数に従うよりも遅く、第１電極と第２電極間の電位差の絶対値の減衰を２段階の条件で行なう。
【００５５】
以上に示した方法により、実施例１と同様に、電気泳動表示装置の表示画像の保持動作時において、残留ＤＣの影響を低減することができ、保持特性の改善がみられた。
【００５６】
（実施例４）
本実施例では、実施例１において、保持動作期間中の任意のＩ番目のフレームにおける動作が終了した後、全行の走査線に対してＴＦＴのＯＦＦ電圧に相当するゲート電圧を印加した状態から、全行の走査線に対して、ＴＦＴのゲート電極にＯＦＦ電圧より大きくＯＮ電圧より小さい、ある一定の電圧を印加することによって、ＴＦＴのＯＦＦ時の時定数に従うよりも早く、またＯＮ時の時定数に従うよりも遅く、第１電極と第２電極間の電位差の絶対値の減衰を行なう。
【００５７】
以上に示した方法により、実施例１と同様に、電気泳動表示装置の表示画像の保持動作時において、残留ＤＣの影響を低減することができ、保持特性の改善がみられた。
【図面の簡単な説明】
【００５８】
【図１】本発明における各動作時の外部印加電圧と分散液への実効電圧と光学応答の相関図。
【図２】従来例における各動作時の外部印加電圧と分散液への実効電圧と光学応答の相関図。
【図３】各動作期間を示すタイミングチャート。
【図４】電位差の絶対値の減衰方法の例を示す図。
【図５】電気泳動表示装置とその周辺回路のブロック図。
【図６】１画素あたりの電気泳動表示素子と薄膜トランジスタ（ＴＦＴ）を示す図。
【図７】電気泳動表示パネルと駆動回路の模式図。
【図８】複数フレームによって電位差の絶対値を減衰させるときの書き込み期間と保持動作期間におけるゲート電圧と信号電圧の一例を示す図。
【図９】図８で示すゲート電圧と信号電圧を印加したときの各画素電極電位を示す図。
【図１０】電位差の絶対値を徐々に減衰させるときの書き込み期間と保持動作期間におけるゲート電圧と信号電圧の一例を示す図。
【図１１】図１０で示すゲート電圧と信号電圧を印加したときの各画素電極電位を示す図。
【図１２】２段階以上の減衰条件によって電位差の絶対値を減衰させるときの書き込み期間と保持動作期間におけるゲート電圧と信号電圧の一例を示す図。
【図１３】２段階以上の減衰条件によって電位差の絶対値を減衰させるときの各画素電極電位の一例を示す図。
【符号の説明】
【００５９】
１  グラフィックコントローラ
２  グラフィックメモリ
３  パネルコントローラ
４  中央演算処理装置（ＣＰＵ）
５  電源ユニット
６  電源制御部
７  データ線駆動回路
８  走査線駆動回路
９  電気泳動表示パネル
１０  画素
１１  データ線
１２  走査線
１３  薄膜トランジスタ（ＴＦＴ）
１４  補助容量
１５  １画素あたりの電気泳動表示素子
【図１】
2004287425.tif 000003
【図２】
2004287425.tif 000004
【図３】
2004287425.tif 000005
【図４】
2004287425.tif 000006
【図５】
2004287425.tif 000007
【図６】
2004287425.tif 000008
【図７】
2004287425.tif 000009
【図８】
2004287425.tif 000010
【図９】
2004287425.tif 000011
【図１０】
2004287425.tif 000012
【図１１】
2004287425.tif 000013
【図１２】
2004287425.tif 000014
【図１３】
2004287425.tif 000015